(57)【要約】【課題】  保守作業時、機器類等に邪魔されることなく、制御盤本体前面のミニマムスペースで扉を展開（開放）させることができるエレベータの制御盤を得る。【解決手段】  昇降路内に設置され、保守作業時にかご上又はかご内から扉を開放して内部へアクセスされる機械室レスエレベータの制御盤において、制御盤本体１と、制御盤本体の少なくとも一側端部に回転可能に結合されて本体前面を開閉自在に閉塞する複数の短冊状扉単体２ａ〜２ｅ、２ｆから成る扉２とを備え、複数の短冊状扉単体は、互いに折り畳みかつ展開可能に結合されており、扉開放時に一つの扉単体２ａ〜２ｅの幅と同等の奥行き寸法を有する制御盤本体前面の展開空間内で扉の開放を可能とする。【選択図】    図１
2006298621.tif 000002
【特許請求の範囲】
【請求項１】
昇降路内に設置され、保守作業時にかご上又はかご内から扉を開放して内部へアクセスされる機械室レスエレベータの制御盤において、
制御盤本体と、前記制御盤本体の少なくとも一側端部に回転可能に結合されて本体前面を開閉自在に閉塞する複数の短冊状扉単体から成る扉とを備え、
前記複数の短冊状扉単体は、互いに折り畳みかつ展開可能に結合されており、扉開放時に一つの扉単体の幅と同等の奥行き寸法を有する前記制御盤本体前面の展開空間内で前記扉の開放を可能としたことを特徴とするエレベータの制御盤。
【請求項２】
複数の短冊状扉単体は、扉単体が外側へ膨らむのを防止する押え板を有することを特徴とする請求項１記載のエレベータの制御盤。
【請求項３】
複数の短冊状扉単体は、ヒンジにより互いに結合されていることを特徴とする請求項１又は請求項２記載のエレベータの制御盤。
【請求項４】
複数の短冊状扉単体は、蛇構造のひさし扉とし、短冊状扉単体同士をその上下端で回転軸により結合し、各短冊状扉単体の一部を制御盤本体前面で重ね合わせられるように構成したことを特徴とする請求項１記載のエレベータの制御盤。
【請求項５】
蛇構造のひさし扉を、同一部品の組み合わせで構成したことを特徴とする請求項４記載のエレベータの制御盤。
【請求項６】
蛇構造のひさし扉を、２種類の部品を交互に組み合わせ、扉の上下端が左右同一になるように構成したことを特徴とする請求項４記載のエレベータの制御盤。
【発明の詳細な説明】
【技術分野】
【０００１】
この発明は、エレベータの制御盤の扉構造に関するものである。
【背景技術】
【０００２】
従来、機械室レスエレベータの制御盤は、制御盤本体の正面に蓋構造のカバーを設け、制御盤内部へアクセスする場合はカバーを取外す構造とするか、あるいは制御盤本体の左右側端部にヒンジ機構により、観音開き構造の扉を設け、内部へアクセスする場合はヒンジ機構により観音開き扉を開放する構造とするか、あるいは一枚の扉カバーを制御盤の正面に沿って上下にスライド可能なスライド扉構造とし、内部へアクセスする場合はそのスライド扉を上下にスライドさせることにしていた。
また、エレベータ昇降路内に設置した制御盤をかご上から保守点検する際、保守作業者の転落及び工具類の落下を防止するものが提案されている（例えば、特許文献１参照）。
【０００３】
【特許文献１】特開２００１−３４１９５０号公報
【発明の開示】
【発明が解決しようとする課題】
【０００４】
従来の機械室レスエレベータの制御盤では、蓋構造のカバーの場合、制御盤から外れてしまうため、蓋カバーが落下する可能性があり、またカバーが大きい場合はかご上での保管場所の確保が困難であり、かごの内部から取外すことは非常に困難である。また、ヒンジ機構によって扉を開く場合、かご上での保守作業時は、安全柵と干渉し、かご位置との制約が大きく、また大きな扉の場合、かご上の保守作業者の起立位置へ開放された扉寸法が入り込むため、作業上、安全上の問題がある。また、かごの内部からは、かご枠や、かご壁との干渉により扉を開くことが困難であった。更に、スライド扉の場合、制御盤の下方に十分な空間が確保されている場合は良いが、制御盤が上下に複数個連なるような場合は、下方の制御盤と干渉するため、スライド扉を用いることができないという問題点がある。
また、特許文献１記載のものは、制御盤の蓋を開放するとき、蓋を下方向へ移動可能に、かつ回動可能に構成しているので、上記した従来のものと同様の問題点がある。
【０００５】
この発明は上記のような課題を解決するためになされたもので、保守作業時、機器類等に邪魔されることなく、制御盤本体前面のミニマムスペースで扉を展開（開放）させることができるエレベータの制御盤を提供することを目的とする。
【課題を解決するための手段】
【０００６】
この発明に係るエレベータの制御盤においては、昇降路内に設置され、保守作業時にかご上又はかご内から扉を開放して内部へアクセスされる機械室レスエレベータの制御盤において、制御盤本体と、制御盤本体の少なくとも一側端部に回転可能に結合されて本体前面を開閉自在に閉塞する複数の短冊状扉単体から成る扉とを備え、複数の短冊状扉単体は、互いに折り畳みかつ展開可能に結合されており、扉開放時に一つの扉単体の幅と同等の奥行き寸法を有する制御盤本体前面の展開空間内で扉の開放を可能としたものである。
【発明の効果】
【０００７】
この発明によれば、保守作業時、例えばかご上において制御盤にアクセスする場合においても、例えばかご上に設置されている安全柵等の機器類等に邪魔されることなく、制御盤本体前面のミニマムスペースで扉を展開（開放）させることができる。
【発明を実施するための最良の形態】
【０００８】
実施の形態１.
図１はこの発明の実施の形態１におけるエレベータの制御盤を示す正面図、図２はこの発明の実施の形態１におけるエレベータの制御盤を示す平面図、図３はこの発明の実施の形態１におけるエレベータ制御盤の扉の展開（開放）動作の手順を示す平面図、図４は制御盤の扉の全閉状態を示す部分拡大平面図、図５は押え板の拘束を解除して制御盤の最外側扉を展開（開放）した状態を示す部分拡大平面図、図６は制御盤の扉の展開（開放）を進めて、制御盤の最内側扉まで展開（開放）した扉全開状態を示す部分拡大平面図、図７は制御盤の前方に制約がなく、一枚扉として開放した状態を示す部分拡大平面図、図８は扉が膨らまないように拘束する押え板の作用を説明する制御盤の拡大正面図、図９は図８のＡ−Ａ線に沿った断面図、図１０は図８のＢ−Ｂ線に沿った断面図、図１１は押え板の平面図と正面図である。
【０００９】
機械室レスエレベータの制御盤においては、制御盤本体前面のミニマムスペースで扉を展開（開放）可能とすることが要求される。この要求に答えるためになされたこの発明のエレベータの制御盤の扉構造について、図面を用いて説明する。
１はエレベータ制御盤本体、２はこの制御盤本体の左右両端部にヒンジ３ａを介して回転可能に結合された左右一対の扉で、この各扉２は、制御盤本体１の前面の半分ずつを開閉自在に閉塞するものである。この実施の形態では、各扉２は、最外側から中央部まで５枚からなる縦長の短冊状扉単体２ａ〜２ｅが折り畳み可能にヒンジ３ｂ結合されており、また中央部から内側寄りに位置し最内側扉単体２ｅにヒンジ３ｂ結合された大きな１枚の扉単体２ｆが設けられている。そして、この大きな１枚の扉単体２ｆの幅は、制御盤本体１の前面幅の約１／５の幅を有しており、また１枚少なくした４枚からなる縦長の短冊状扉単体２ａ〜２ｄの合計幅と略等しいものである。４は各扉２の前面の上下２箇所に水平方向に橋渡されて設けられた押え板で、扉単体２ａ〜２ｅが膨らむことを防止するためのものである。５は押え板４の一端部に設けられた固定具で、押え板４と扉２の内側寄りに位置する大きな１枚の扉単体２ｆの長孔を通して連結され、扉２の全閉時に開放端側を制御盤本体１に固定するためのものである。６は押え板４の他端部に設けられた拘束具で、扉２の全閉時は最外側扉体２ａの制御盤本体１側（内側）に挿入係合されており、扉２の展開（開放）時には押え板４を図８及び図１０の矢印方向へスライドさせることにより、拘束具６による拘束を外すことができる。
【００１０】
次に、図３〜図６により、エレベータ制御盤の扉の展開（開放）手順について説明する。
図３（ａ）、図４は制御盤扉２の全閉状態を示す。この状態から押え板４を図８及び図１０の矢印方向へスライドさせ、拘束具６による押え板４の拘束を外し、図３（ｂ）、図５に示すように、最外側扉単体２ａのみを９０度展開（開放）した状態とする。この時、扉２の前面は図示点線で示す制御盤本体１前面のミニマムスペース３０の内側に入ることになり、保守作業員や機器類との干渉の恐れはない。更に、扉２の展開（開放）を進めて、扉単体２ａを１８０度展開し、続いて扉単体２ｂ、扉単体２ｃ、扉単体２ｄを１８０度展開すると、図３（ｃ）、図６に示すように、最内側扉単体２ｅが約３０度展開され、それに連なる大きな１枚の扉単体２ｆが引っ張られて展開され、制御盤本体１の前面が全開状態に開放されることになる。そして、これら一連の扉展開（開放）動作は、全て図示点線で示す制御盤本体１前面のミニマムスペースの範囲内において行われている。
また、制御盤本体１の前方に何らの制約が無い場合は、図３（ｄ）、図７に示すように、通常の扉と同じように一枚扉の状態として開放することができる。
【００１１】
次に、図８〜図１０により、エレベータ制御盤の扉２が全閉時に膨らまないように拘束する押え板４の作用について説明する。
すなわち、扉２の全閉状態において、図８の上側の押え板４、及び図９に示すように、押え板４を反矢印方向にスライドさせて、押え板４の他端部に設けられた拘束具６を最外側扉単体２ａの内側に挿入係合するとともに、押え板４の一端部に設けられた固定具５により固定する。これにより、扉２を構成する扉単体２ａ〜２ｆの動きが押え板４により拘束される。また、この全閉状態から押え板４の拘束を外す場合は、押え板４の一端部に設けられた固定具５による固定を解除し、次に、図８の下側の押え板４、及び図１０に示すように、押え板４を扉単体２ｆの長孔に沿って矢印方向にスライドさせて、押え板４の他端部の拘束具６と最外側扉単体２ａ内側との挿入係合状態を解除することにより、扉２を展開（開放）可能な状態にすることができる。
【００１２】
したがって、実施の形態１のような構成にすることにより、保守作業時、例えばかご上において制御盤にアクセスする場合においても、例えばかご上に設置されている安全柵等の機器類等に邪魔されることなく、制御盤本体前面のミニマムスペースで扉を展開（開放）させることができる。
【００１３】
実施の形態２.
図１２はこの発明の実施の形態２におけるエレベータの制御盤を示す正面図、図１３はこの発明の実施の形態２におけるエレベータの制御盤を示す平面図、図１４はこの発明の実施の形態２におけるエレベータ制御盤の扉の展開（開放）動作の手順を示す平面図である。
【００１４】
機械室レスエレベータの制御盤において、蛇構造（ひさしタイプ）のひさし扉を用いることにより、制御盤本体前面のミニマムスペースで扉を展開（開放）可能としたものである。
１はエレベータ制御盤本体、１２はこの制御盤本体の左右両端部にヒンジ１３ａを介して回転可能に結合された左右一対のひさし扉で、この各ひさし扉１２は、制御盤本体１の前面の半分ずつを開閉自在に閉塞するものである。各ひさし扉１２は、複数枚の短冊状扉単体１２ａから構成されており、これら各短冊状扉単体１２ａ同士をその上下端で回転軸７により展開可能に結合している。１５はひさし扉１２を全閉状態で固定する固定具である。  
【００１５】
次に、図１３、図１４により、エレベータ制御盤の扉の展開（開放）手順について説明する。なお、図１４の右側の図示を省略しているが、左側と同様である。
図１３は制御盤のひさし扉１２の全閉状態を示す。この状態から固定具１５を取外し、図１４（ａ）に示すように、最内側扉単体１２ａから展開（開放）を始めて、図１４（ｂ）に示すように、順番に扉単体１２ａを展開して行く。最後に、図１４（ｃ）に示すように、制御盤本体１の前面が全開状態に開放され、ひさし扉１２全体は制御盤本体１の左右両側壁の外面に位置させることができる。そして、これら一連の扉展開（開放）動作は、全て図示点線で示す制御盤本体１前面のミニマムスペースの範囲内において行われている。
【００１６】
したがって、実施の形態２のような構成にすることにより、保守作業時、かご上において制御盤にアクセスする場合においても、かご上に設置されている安全柵等の機器類等に邪魔されることなく、制御盤本体前面のミニマムスペースで扉を展開（開放）させることができる。
【００１７】
実施の形態３.
図１５はこの発明の実施の形態３におけるエレベータの制御盤を示す正面図、図１６はこの発明の実施の形態３におけるエレベータの制御盤の扉構造を示す拡大正面図、図１７はこの発明の実施の形態３におけるエレベータ制御盤の扉の展開（開放）動作を示す拡大平面図である。なお、図１５の右側の図示を省略しているが、左側と同様である。
【００１８】
この実施の形態３においては、実施の形態２における機械室レスエレベータの制御盤の扉構造において、複数枚の短冊状扉単体１２ａを同一形状部品により構成可能としたものである。
複数枚の短冊状扉単体１２ａの形状は、個々の短冊状扉単体１２ａが支持される回転軸７ａと、次に結合される扉単体１２ａを支持する回転軸７ｂを持ち、互いに隣接する扉単体１２ａ同士の前後方向の重なり合い８により扉１２が閉じた時に扉単体１２ａが膨らむのを拘束する。また、扉単体１２ａの下端部に切り欠き９を設けることにより、同一形状の部品による組み合わせを可能としている。
【００１９】
実施の形態４.
図１８はこの発明の実施の形態４におけるエレベータの制御盤を示す正面図、図１９はこの発明の実施の形態４におけるエレベータの制御盤の扉構造を示す拡大正面図、図２０はこの発明の実施の形態４におけるエレベータ制御盤の扉の展開（開放）動作を示す拡大平面図である。なお、図１８の右側の図示を省略しているが、左側と同様である。
【００２０】
この実施の形態４においては、実施の形態３における機械室レスエレベータの制御盤の扉構造を、簡素な構造により構成したものである。
複数枚の短冊状扉単体１２ａの形状は、個々の短冊状扉単体１２ａが支持される回転軸７ａと、次に結合される扉単体１２ａを支持する回転軸７ｂを持ち、互いに隣接する扉単体１２ａ同士の前後方向の重なり合い８により扉１２が閉じた時に扉単体１２ａが膨らむのを拘束する。そして、扉単体１２ａの下端部の切り欠き９を無くし、各扉単体１２ａの上下方向寸法を最外側から最内側に行くに従って少しずつ長くしている。
【００２１】
実施の形態５.
図２１はこの発明の実施の形態５におけるエレベータの制御盤を示す正面図、図２２はこの発明の実施の形態５におけるエレベータの制御盤の扉構造を示す拡大正面図、図２３はこの発明の実施の形態５におけるエレベータ制御盤の扉の展開（開放）動作を示す拡大平面図である。なお、図２１の右側の図示を省略しているが、左側と同様である。
【００２２】
この実施の形態５においては、実施の形態３における機械室レスエレベータの制御盤の扉単体構造を、２種類の形状部品１２ａａ、１２ａｂにより構成し、これら扉単体部品１２ａａ、１２ａｂを交互に複数個連結した状態で、上下方向の高さを扉の支持側及び開放側ともに同一寸法とすることが可能な構成としたものである。
２種類の短冊状扉単体１２ａａ、１２ａｂの形状は、個々の短冊状扉単体が支持される回転軸７ａと、次に結合される扉単体を支持する回転軸７ｂを持ち、互いに隣接する扉単体１２ａａ、１２ａｂ同士の前後方向の重なり合い８により扉１２が閉じた時に扉単体１２ａが膨らむのを拘束する。そして、扉単体１２ａａを展開させた時に扉単体１２ａｂと干渉し回転角度が確保できないことを解消するため、扉単体１２ａａの回転軸７ａにおいて切り欠き１０ａを設けることにより、扉単体１２ａａの回転角度を確保している。扉単体１２ａｂは、扉単体１２ａａを支持する部分において、扉単体１２ａａを取り付け可能とするための切り欠き１０ｂを設けることにより回転角度を確保している。また、扉単体１２ａａ、１２ａｂの下端部に切り欠きを設けることにより、同一形状による組み合わせを可能としている。
【００２３】
なお、図２４は扉が自然に開くことを防止する構造を示したものである。
扉単体２２ａと、その上部固定軸、下部固定軸、上部支持軸、下部支持軸にて構成される。上部固定軸と下部固定軸の前後方向の位置関係を、上部固定軸を扉単体２２ａの内側、下部固定軸を表側にシフトしてレイアウトすることにより、扉単体２２ａが開いた場合に扉単体２２ａの支持軸側を上方向へ持ち上げる状態となるため、扉単体２２ａが閉じた状態からは広がることが制約される。
【図面の簡単な説明】
【００２４】
【図１】この発明の実施の形態１におけるエレベータの制御盤を示す正面図である。
【図２】この発明の実施の形態１におけるエレベータの制御盤を示す平面図である。
【図３】この発明の実施の形態１におけるエレベータ制御盤の扉の展開（開放）動作の手順を示す平面図である。
【図４】制御盤の扉の全閉状態を示す部分拡大平面図である。
【図５】押え板の拘束を解除して制御盤の最外側扉を展開（開放）した状態を示す部分拡大平面図である。
【図６】制御盤の扉の展開（開放）を進めて、制御盤の最内側扉まで展開（開放）した扉全開状態を示す部分拡大平面図である。
【図７】制御盤の前方に制約がなく、一枚扉として開放した状態を示す部分拡大平面図である。
【図８】扉が膨らまないように拘束する押え板の作用を説明する制御盤の拡大正面図である。
【図９】図８のＡ−Ａ線に沿った断面図である。
【図１０】図８のＢ−Ｂ線に沿った断面図である。
【図１１】押え板の平面図と正面図である。
【図１２】この発明の実施の形態２におけるエレベータの制御盤を示す正面図である。
【図１３】この発明の実施の形態２におけるエレベータの制御盤を示す平面図である。
【図１４】この発明の実施の形態２におけるエレベータ制御盤の扉の展開（開放）動作の手順を示す平面図である。
【図１５】この発明の実施の形態３におけるエレベータの制御盤を示す正面図である。
【図１６】この発明の実施の形態３におけるエレベータの制御盤の扉構造を示す拡大正面図である。
【図１７】この発明の実施の形態３におけるエレベータ制御盤の扉の展開（開放）動作を示す拡大平面図である。
【図１８】この発明の実施の形態４におけるエレベータの制御盤を示す正面図である。
【図１９】この発明の実施の形態４におけるエレベータの制御盤の扉構造を示す拡大正面図である。
【図２０】この発明の実施の形態４におけるエレベータ制御盤の扉の展開（開放）動作を示す拡大平面図である。
【図２１】この発明の実施の形態５におけるエレベータの制御盤を示す正面図である
【図２２】この発明の実施の形態５におけるエレベータの制御盤の扉構造を示す拡大正面図である。
【図２３】この発明の実施の形態５におけるエレベータ制御盤の扉の展開（開放）動作を示す拡大平面図である。
【図２４】扉が自然に開くことを防止する構造を示したものである。
【符号の説明】
【００２５】
１  エレベータ制御盤本体
２、１２  扉
２ａ〜２ｅ、１２ａ  短冊状扉単体
２ｆ  大きな１枚の扉単体
３、３ａ、３ｂ  ヒンジ
４  押え板
５  固定具
６  拘束具
７、７ａ、７ｂ  回転軸  
８  重なり合い
９  切り欠き
３０  ミニマムスペース
【図１】
2006298621.tif 000003
【図２】
2006298621.tif 000004
【図３】
2006298621.tif 000005
【図４】
2006298621.tif 000006
【図５】
2006298621.tif 000007
【図６】
2006298621.tif 000008
【図７】
2006298621.tif 000009
【図８】
2006298621.tif 000010
【図９】
2006298621.tif 000011
【図１０】
2006298621.tif 000012
【図１１】
2006298621.tif 000013
【図１２】
2006298621.tif 000014
【図１３】
2006298621.tif 000015
【図１４】
2006298621.tif 000016
【図１５】
2006298621.tif 000017
【図１６】
2006298621.tif 000018
【図１７】
2006298621.tif 000019
【図１８】
2006298621.tif 000020
【図１９】
2006298621.tif 000021
【図２０】
2006298621.tif 000022
【図２１】
2006298621.tif 000023
【図２２】
2006298621.tif 000024
【図２３】
2006298621.tif 000025
【図２４】
2006298621.tif 000026